Podtech/llm-jp-corpus-v4-ja_patent huggingface dataset:
(57)【要約】【課題】ハンカチを干すだけで、しわがなくきれいに干せるようにする。手軽に簡単に干せるように、扱いやすく、干すスペースをとらないものにする。【解決手段】穴１の空いたプラスチック板２に、濡れたハンカチ３を吸着させ、洗濯ばさみ４でとめて干す。ハンカチ３が吸着しながらも、穴１が空いていることでプラスチック板とハンカチの間の余分な空気が抜け、貼り付けやすく、しかも乾きやすい。簡単に手軽にハンカチがきれいに干せて、アイロンをかける手間も省ける。ハンガータイプなので扱いやすく、かけている分には従来のハンガーと同様の場所しかとらない。【選択図】  図２
2004209204.tif 000002
【特許請求の範囲】
【請求項１】
ハンガーに複数の穴が空いたプラスチック等の板を取付け、濡れたハンカチを貼り付けて干せるようにしたハンカチ干し。
【発明の詳細な説明】
【０００１】
【発明に属する技術分野】
本発明は、穴が空いたプラスチック等の板に、濡れたハンカチを貼付けて干し、乾くとアイロンをかけたようにきれいになるというものである。ハンガータイプなので、干す場所を選ばず、収納にもスペースをとらない。
【０００２】
【従来の技術】
従来、ハンカチをガラス等の板に貼付けて干していた場合は、貼付ける際にハンカチと板との間に空気が入りやすく形よく貼るのに手間がかかった。また、よりよく吸着させる為、十分に水分を含ませ貼付けるので乾くまで時間がかかった。
【０００３】
【発明の実施の形態】
本発明は、濡れたハンカチを板に貼り、しわをのばして干すというもので、それを図面について説明すれば、穴１の空いたプラスチック板２に、濡れたハンカチ３を吸着させ、洗濯ばさみ４でとめて干す。ハンカチ３が吸着しながらも、穴１が空いていることでプラスチック板とハンカチの間の余分な空気が抜け、貼り付けやすく、しかも乾きやすい。
【０００４】
【発明の効果】
このようにすれば、簡単に手軽にハンカチがきれいに干せて、アイロンをかける手間が省ける。ハンガータイプなので扱いやすく、かけている分には従来のハンガーと同様の場所しかとらない。
【図面の簡単な説明】
【図１】穴の空いたプラスチックの板とハンガーの立面図である。
【図２】実施例を示す立面図である。
【符号の説明】
１  穴
２  プラスチック板
３  濡れたハンカチ
４  洗濯ばさみ
【図１】
2004209204.tif 000003
【図２】
2004209204.tif 000004
(57)【要約】【課題】【解決手段】本発明を使用することにより、腹腔内へ円座チュ−ブは過度に挿入でき無いように設けた。即ちチュ−ブに鐔の円座を設けた為、チュ−ブが腹腔内へ過度に挿入または埋没する恐れが無くなった。よって円座が皮膚外で固定されるため、苦痛や発熱が大幅に減少できた。なお患者はチュ−ブを挿入した状態で体位が変えられ床擦れの予防になり、また衣服の着替えが容易にできる。【選択図】図１2004209291.tif 000003
2004209291.tif 000002
【特許請求の範囲】
【請求項１】
チュ−ブ本体に等間隔の刻みの溝を設けた、此の溝に嵌まる鍔となる円座を設けた。またチュ−ブが腹腔内へ挿入過多、又は埋没しないように設けたことを特徴とする円座チュ−ブ。
【発明の詳細な説明】
【発明の詳細な説明】
【産業上の利用分野】
【０００１】本発明は主として、腹腔内へチュ−ブを留置して体液などの排泄に用いる、円座チュ−ブに関するものである。
【背景技術】
【０００２】従来の留置チュ−ブは、長いチュ−ブ等を適当な長さに切断した状態で腹腔内へ挿入していた。よって留置チュ−ブが腹圧の動きで、挿入した腹腔内で擦れて疵ができた。此の疵で痛みや発熱が起こり苦痛となっていた。更に留置チュ−ブが腹腔内へ埋没した場合、臓器を傷めて再手術強いては死亡する恐れがあった。従来のカテ−テルを使用した場合、体位を容易に変えられず患者の苦痛が大きかった。更に余儀なくチュ−ブを挿入した状態で退院された患者は、上記の症状等で一カ月に２〜３回程度の通院治療が余儀なくされていた。またカテ−テルを強く固定していた為、衣服の着脱時にチュ−ブが動き腹腔内で痛みが起った。なお患者は通院治療に掛かる経済的な負担が大きな妨げとなっていた。
【発明が解決しょうとする課題】
【０００４】本発明の目的は、チュ−ブに円座を設ける事により、腹腔内で留置したチュ−ブの動きが大幅に減少できる。腹壁外で固定されるため、患者の痛みや発熱などが大幅に緩和されるように設けた。また留置チュ−ブの脱着が容易にでき、苦痛を軽減して安価で提供する事にある。
【課題を解決するための手段】
【０００５】このような目的は以下の本発明（６）により達成されなお（６）〜（７）とすることが好ましい。
【０００６】本発明の円座チュ−ブは、チュ−ブ本体へ樹脂などで設けた円座を嵌めて適切な位置で固定する。なお此の円座はチュ−ブの目盛りの刻み上を移動して固定することに設けた。また円座は皮膚外で固定される為に留置されても傷ができ難く痛み、発熱などの苦痛が大幅に減少また緩和される。さらに他の臓器を傷めることがなく成るように好ましく設けた。
【０００７】挿入する円座チュ−ブの先端は、挿入が滑らかに出来るように丸く設けた。更に俯せが容易にできて入浴時等の着替え、シ−ツの取り替えが容易にできる。なお患者を動かす事ができ床擦れの予防に成るように好ましく設けた。
【発明を実施するための最良の形態】
【実施例】
【０００８】本発明、円座チュ−ブの実施例について添付図に基づいて説明する。図１は円座チュ−ブの構成図である。図２は図１の１４の先端部分の図である。図３は円座である。素材は加工性が容易で有るとの理由と、また生体適合性の好いシリコ−ンチュ−ブを用いた。以下の説明は主に図１の構成図で説明する。
図の１は症例または部位で異なり２００ｍｍ〜２００ｍｍ程度の長さに設けた。
此の１の外径は２ｍｍ〜１５ｍｍ程度を用いた。図の１１の先端を挿入時に苦痛を軽減するために丸く設けた。図の１２の縦線で示した部分へ厚み１ｍｍ程度の円座が嵌まる深さ０，２ｍｍ程の溝を設けた。此の溝へ図の１６の円座を図１の１３の位置へ嵌めて円座チュ−ブに設けた。図の１２の縦線で示した範囲は後に図４で説明する。また図の１４は円座の正面図である、１４の厚みを１ｍｍ程度に設けた。図の１５は円座の斜視図である。１６は円座の平面図である。此の１６の円座は図２で説明する。図３は図１の１１先端の図である、此の３１は外径５ｍｍを細く絞り２，５ｍｍ程度に設けた。【０００９】＜実施１＞【００１０】以下本発明の具体的実施に付いて、添付図面に基づいて詳細に説明する。図１の全長は用いる部位症例で異なり限定をしない。此の外径は５ｍｍ、内径は３ｍｍ、厚肉は１ｍｍの素材のシリコ−ンチュ−ブを用いた。図１の１４で示す腹腔内へ挿入される先端部の、加工を施す角度は４０度°に角を削り挿入し易く丸く設けた。また図１の１４先端部の内径３ｍｍのチュ−ブを、内径０，５ｍｍ内径が２，５ｍｍになるように加工を施し、腹腔内へ滑らかに挿入が出来るよに先端を丸く設けた。図１の１２の部分へ１〜２ｍｍ程度の等間隔の溝の目盛りを設けた。此のチュ−ブの溝に、図１６の円座を嵌めた。此の円座は１２に設けた凹凸の溝を症例によって円座が動く可動式に設けた。此の円座は構成図の１６と図２と同じである。図２の円座の外径２１は約７〜９ｍｍ程度Ｉ設けた、図の２２の内径５ｍｍ図の１４の厚み約１ｍｍ程度に設けた。円座は皮膚外で有りアクリル樹脂板を型抜き加工で設けた。図３は図１の１１先端である図の３１の外径を４ｍｍ程度に設けた。また図の３２の内径を２，５ｍｍ程度に設けた。【００１１】図４は図１の１を拡大した図である。図の４１は本体チュ−ブで有る、図の４２は凹凸の溝で０，３ｍｍ程度に設けた。此の溝の幅１〜２ｍｍ程度の等間隔の溝に設けた。４３は円座を嵌めて設置した図である。４４はチュ−ブの内径５ｍｍである。４５は先端の図であり、此の４５の先端は留置時の苦痛を軽減する為に、肉厚を薄く、細く柔軟に加工した。
【発明の効果】
【００１２】以上説明したように、本発明の喇叭チュ−ブによれば、皮膚外で円座がストッパ−となり固定する。またチュ−ブが腹腔内へ埋没する恐れが無くなった。患者は痛み及び発熱等の苦痛が大幅に減少される。また身体が動かせることが出来て床擦れの予防になる。通院治療を余儀なく一カ月に２〜３回程度されていたが、患者によっては年に数回程度の診察で済むことになった。また製造が容易にできて安価で提供できる、患者は経済的な負担が大幅に減少される。
【図面の簡単な説明】
【００１３】
【図１】円座チュ−ブ全体の平面図および構成図である。
【図２】構成図の１６の円座の平面図である。
【図３】図１の１１の先端の図である。
【図４】図１の１２を拡大した図である。
【符号の説明】
【００１４】  １円座チュ−ブ        １１、４５先端      １２、４２等間隔の凹凸の溝
１３、１６、４３円座    １４厚み            １５斜視図
２１、３１、４１外径    ２２、３２内径      ３１直径
３２内径                  ４拡大            ４６内径
【図１】
2004209291.tif 000004
【図２】
2004209291.tif 000005
【図３】
2004209291.tif 000006
【図４】
2004209291.tif 000007
(57)【要約】【課題】排水浄化設備において発生する余剰汚泥を、安価にて分解減容する汚泥分解装置を提供する。【解決手段】余剰汚泥の主成分である不活性微生物及び活性微生物の細胞膜を破砕して、酵素にて溶解及び分解を行う。さらに溶解した余剰汚泥を微生物にて分解浄化を行う。【選択図】  図１
2004209401.tif 000002
【特許請求の範囲】
【請求項１】
逆円錐形の処理槽の底部にディスポーザー等の破砕機を設け、汚泥を破砕しながら酵素を用いて汚泥を分解する事を特徴とする汚泥分解装置。
【請求項２】
破砕した汚泥水を底部破砕機より処理槽外に一旦排出し、その排出した汚泥水を処理槽の上部より処理槽の内壁に沿うように再度圧送して渦流を作り、汚泥を底部破砕機に取込みながら破砕、循環を繰り返し、汚泥を分解する事を特徴とする請求項１の汚泥分解装置。
【請求項３】
循環用流入管に至るまでの配管中途にエアーを供給し、圧送汚泥水とエアーを混合して汚泥水の溶存酸素量を上げ、好気性微生物を用いて汚泥水を浄化する請求項１の汚泥分解装置。
【発明の詳細な説明】
【０００１】
【発明が属する技術分野】
本発明は、排水処理の浄化過程で発生する汚泥の分解処理に関するものである。
【０００２】
【従来の技術】
現在、排水の浄化処理は活性汚泥法等の生物処理が一般的であるが、浄化処理の過程では必ず汚泥が発生するものである。発生した余剰汚泥はほとんどが焼却処理や埋め立て処理を行っている。リサイクルとして処理されるのは現段階ではほんの一部分でしかない。
【０００３】
【発明が解決しようとする課題】
本発明は、この排水浄化過程で発生する汚泥を、従来では困難であった分解減容する方法を提供するものである。
【０００４】
【課題を解決するための手段】
従来の排水浄化過程で発生する汚泥は、排水中の不純物、有機物残渣を微生物の働きにより浄化していく過程で発生するものである。この汚泥の成分は微生物の死骸、活性微生物、有機物残渣等で構成されている。特に大半をしめる微生物は細胞膜が硬く、そのままでは分解することは非常に困難である。しかし、細胞膜を破壊してしまえば通常の有機物の様に分解する事が可能になる。よって本発明では、発生した余剰汚泥を破砕機等で何度も循環を繰り返しながら破砕し、細胞膜を破壊する。細胞膜を破壊した汚泥は酵素によって分解する。
【０００５】
【発明の実施の形態】
以下に図を参照しながら本発明の詳細を説明する。
図１は本発明の汚泥分解装置のフロー図である。
【０００６】
処理槽内に水と共に導入された余剰汚泥は、底部の破砕機２に破砕されながら通過し、ポンプ３により循環用流入管４から内壁に沿って圧送される。これによって内部の水の流れは内壁にそって回転する。汚泥は水よりも比重が重いためこの渦流によって下部に集結する。
【０００７】
下部に集結した汚泥は再度破砕機２で破砕され、通過した汚泥水は又ポンプ３で循環用流入管４から内部へ圧送される。この繰り返しによって微生物の細胞膜はほとんどが破壊され分解されやすくなる。
【０００８】
汚泥分解装置の分解工程としては、余剰汚泥は導入管７から処理槽内に導入され設定された水位になると導入が停止し、槽壁に設けられたヒーター５の電源が入ると同時に破砕機２の回転が始まる。内部水温が使用する酵素に適した温度になると、薬液注入管１０より酵素が注入される。汚泥分解中は内部水温を温度センサー９で常時一定に保温する。
尚、分解しようとする汚泥の性質により使用する酵素は、一種類から数種類になることがある。本発明では蛋白質分解用のプロテアーゼ系を使用している。この場合の酵素活性温度は４５℃近辺である。
【０００９】
ある程度分解、溶解したころを見て循環用の配管中途にエアーを供給し、汚泥水とエアーを混合して汚泥水の溶存酸素量を上げ、薬液注入ポンプより好気性微生物を注入して汚泥水の浄化を行う。浄化された処理水は電動三方弁６によって処理水排出管８より排出される。
【００１０】
【発明の効果】
上述のように、本発明の汚泥分解装置を用いれば、排水浄化設備より発生する余剰汚泥を自社設備内で安価にて分解処理する事が出来、産業廃棄物として排出される汚泥を大きく減容する事が可能となる。
【図面の簡単な説明】
【図１】本発明の汚泥分解装置のフロー図である。
【符号の説明】
１  分解処理槽
２  破砕機
３  循環ポンプ
４  循環用流入管
５  ヒーター
６  電動三方弁
７  余剰汚泥導入管
８  処理水排出管
９  水温温度センサー
１０  薬液注入管
【図１】
2004209401.tif 000003
(57)【要約】［課題］  凝集剤を添加せず、膜洗浄排水を電解し、固液分離し易い凝集法を提供する。［解決手段］  不溶性電極を陽極１とし、不溶性電極または耐アルカリ性金属を陰極２とし、陰極全面は濾過膜３で覆う。この両極間に前記排水９を介在させたうえ、攪拌翼５、モーター７により攪拌を与えながら、両極の間に直流電流を通電し、電解する。電解後、該電解排水９をｐＨ５〜７範囲に調整し、さらに該処理排水９を急速攪拌する。【選択図】          図１
2004209454.tif 000002
【特許請求の範囲】
【請求項１】
不溶性電極を陽極１とし、不溶性電極または耐アルカリ性金属を陰極２とし、陰極全面は濾過膜３で覆う。この両極間に前記排水９を介在させたうえ、攪拌翼５、モーター７により攪拌を与えながら、両極の間に直流電流を通電し、電解する。電解後、該電解排水９をｐＨ５〜７範囲に調整し、さらに該処理排水９を急速攪拌し凝集を促進する方法。
【請求項２】
［請求項１］に記載のｐＨ調整を電解電流切断後攪拌強度と攪拌時間の組み合せにより行う電解による膜濾過洗浄排水の凝集法及びその装置。
【請求項３】
［請求項２］にて処理した排水を急速攪拌する電解による膜濾過洗浄排水の凝集法及びその装置。
【請求項４】
［請求項３］に記載の方法にて電解処理した該排水を用いた膜濾過装置。
【請求項５】
［請求項３］に記載の電解による膜濾過洗浄排水の凝集法を用いた装置の後段に膜濾過装置を配置し、一体化した装置
【発明の詳細な説明】
【０００１】
［発明の属する技術分野］
本発明は凝集剤無添加で凝集を促進させるための方法に関する。
【０００２】
［従来の技術］
従来、原水中の懸濁物は凝集剤（アルミニュウムまたは鉄の塩化物または硫酸塩等）を添加し、水中で金属陽イオンを生成させ、懸濁物粒子の負電荷を中和し、懸濁物粒子会合を容易としフロックを形成させ、これを砂濾過または膜濾過により分離し、浄水を得て、フロックを汚泥として処理している（例えば「浄水の技術」丹保憲仁、小笠原鉱一共著）。また電解による貯水中の溶存物質の酸化、殺菌を目的とした方法（例えば特開平７−３０８６７６）、電解により生成させた金属イオンを凝集剤として利用する方法（特開２００１−１５７８９４）、金属イオンを交流により生成させ凝集剤として利用する方法（特開２０００−２６３０５０）などがある。
【０００３】
上記の処理では、いずれも金属イオンを大量に利用するため、生成するフロックは吸水性、粘性が高く、濾過膜に付着し、濾過効率を低下させ、また分離した汚泥の脱水性を低下させ、汚泥処理（運搬、脱水および乾燥等の工程）の障害となっている。
【０００４】
［発明が解決しようとする課題］
従来の凝集法は、凝集剤を大量に懸濁水に添加するため、生成するフロックは吸水性、粘性が高く、濾過膜に付着し、濾過効率を低下させ、また分離した汚泥の脱水性を低下させ、汚泥処理（運搬、脱水および乾燥等の工程）に多大の費用がかかるという問題点があった。
【０００５】
本発明は、このような問題を生じる凝集剤の添加を少なくし、凝集を高める凝集法を提供することを目的としている。
【０００６】
［課題を解決するための手段］
本発明は上記課題を解決するために、第１の解決手段として排水に陰極、陽極を相対して配置し、凝集剤無添加で電解することである。陽極に用いる不溶性電極には、例えば炭素、白金、白金メッキチタン、白金クラッドチタン、白金クラッドニオブ、ニッケルフエライト、コバルトフエライト、酸化ルテニュウム（ＲｕＯ２）、酸化イリジュウム（ＩｒＯ２）などの金属酸化物をチタンまたはニオブ基板上へ熱分解またはイオンプレート法にて固着させたもの等の内、該排水中で酸素過電圧が低いものが適する。また陰極には、前記不溶性電極を含め、例えば、鉄、銅、ステンレス鋼等が用いられる。
【０００７】
第１の解決手段を実施するに当たり、陰極面は濾過膜で覆う。この濾過膜には懸濁物の陰極面との直接接触を防止し、電解液の通過を容易とし、且つ低い浴電圧を保持する膜であればよい。
【０００８】
第１の課題解決手段による作用は次の通りである。すなわち、酸素發生反応下で電解することにより、懸濁物中のアルミニュウムを溶出させ、さらに溶存物質、懸濁物およびその付着物の酸化を促進し、酸化物の生成とこれら物質の殺菌を促進する。
【０００９】
第２の解決手段は電解後、該排水のｐＨを５−７の範囲に調整することである。この調整は電解電流を停止した後の排水の攪拌時間の長短にて行える。
【００１０】
上記の第２の課題解決手段による作用は次の通りである。すなわち、電解した排水のｐＨ調整により溶出したアルミニュウムイオンは水酸化物となり、懸濁物の電荷を正方向に移動させる。この結果、懸濁物粒子の負電荷部との間で静電気的結合を生じる。
【００１１】
第３の解決手段はｐＨ調整後、その排水を急速攪拌することである。
【００１２】
上記の第３の課題解決手段による作用は次の通りである。上記処理した排水を急速攪拌することにより、粒子結合の型を変え、凝集を促進する。
【００１３】
［発明の実施の形態］
以下、本発明の実施の形態を実施例にもとずき図面を参照して説明する。
【００１４】
図１において、円筒電解槽４内に該排水９を充たし、該槽壁に接する外径をもつ円筒陰極２と一定間隔を保持するように、たとえばスペイサーを介し、該陰極と相対する陽極１を配置し、排水９中に設置する。この際、陰極全面は濾過膜３にて覆う。濾過膜３に代えて、濾過壁を該両極間に配置しても良い。該槽中央には攪拌翼５を配置し、モーター７にて駆動する。両極間を流れる該排水の流れを容易とするように、両極下部に通路を設けると良い。電解は該排水９を攪拌しながら直流電源８により通電し行う。
【００１５】
電解した該排水は電流切断後、攪拌を継続し、ｐＨを中性化した後、排水口６より取り出す。
【００１６】
排水口６より取り出した排水の懸濁物粒子の負電荷は電流増加により正方向に変化する。粒子の荷電が０に近ずくと、粒子間反発力が減少し凝集し易くなる。
【００１７】
さらに、第３の解決手段を実施すると電解処理した排水の凝集速度は攪拌速度の増加と共に増大する。
【００１８】
［発明の効果］
本発明は、以上説明したように構成されているので、以下に記載する効果が期待出来る。
１．排水のｐＨが中性域で凝集効果を高めることが出来る
２．金属塩を主とする凝集剤を添加しないで凝集度を高めることが出来る。
３．一般の凝集ではフロックの破壊を防止するため弱い攪拌範囲にとどめることが必要であるが、本法では急速攪拌により，凝集度が高まるので、凝集操作が容易となる。
４．本発明の凝集方法は金属塩を主とする凝集剤を添加することなく、凝集度を高めることが出来るので、粘性の高いフロックが濾過膜に付着し、濾過効率を低下させる事が無い。
５．本発明の凝集方法で分離した汚泥の脱水性が高まり、汚泥処理上（運搬、脱水および乾燥等の工程）の障害を軽減出来る。
６．本発明の処理は酸素発生下で行われるので、汚泥の殺菌にも効果がある。
【図面の簡単な説明】
【図１】電解槽の縦断面図である。
【符号の説明】
１  陽極
２  陰極
３  濾過膜
４  電解槽
５  攪拌翼
６  排出口
７  モーター
８  直流電源装置
９  被処理排水
【図１】
2004209454.tif 000003
(57)【要約】【課題】洋式トイレの床、壁の双方を一括して汚れから守り、清掃の負担を軽減する。【解決手段】略扇形の折り畳み式の防汚カーテンを採用し、この防汚カーテンの両翼部を洋式トイレの便器の上端部内側面と、この便器に配設された輪状若しくはＵ状の便座の下部内側面とに接着する。【選択図】  図３
2004209139.tif 000002
【特許請求の範囲】
【請求項１】
洋式トイレの便器の上端部内側面と、該便器に配設された便座の下部内側面とに両翼部を接着し、該便座の起伏に伴って扇状に開閉することを特徴とする、防汚カーテン。
【請求項２】
洋式トイレの便器の上端部内側面と、該便器に配設された便座の下部内側面とに、該便座の起伏に伴って扇状に開閉する防汚カーテンを接着することを特徴とする、洋式トイレの防汚方法。
【発明の詳細な説明】
【０００１】
【発明の属する技術分野】
本発明は、洋式トイレにおいて、小便やその飛沫等が床や壁に飛散することを防止する技術に関する。
【０００２】
【従来の技術】
図３に示すように、洋式トイレの便器２には、輪状若しくはＵ状の便座３が設けられている。この便座３は基部Ｂが便器２に枢着され起伏自在に取り付けられるもので、一般に男子が立って小便をするときは図３のように起こして便器２上より退避し、この他の使用時などには便器２上に伏して便器２の周辺部上端部に配設され座板として用いる。この男子の小用のときには、小便や、小便が便器などに当たって生じる飛沫等がトイレの床や壁に飛散することがしばしばで、特に酢客などの場合、時には小便自体が便器内に入らずにこぼれてしまうこともあり、衛生上問題がある。
【０００３】
このような問題に対し、通常は、便器の周囲を覆うような、布製やウレタン制のマットを床に敷いたりして対応している。
【０００４】
【発明が解決しようとする課題】
しかし、布製のマットでは小便が床に浸透してしまうおそれがあり、ウレタン製では、こぼれた小便が床の傾斜に沿ってマットの外まで流出してしまうこともあり、結局は床の清掃をこまめに行う必要性が生じる。また、これらの方法では上述のような、壁にまで小便等が飛び散った場合に対応できない。
【０００５】
本発明は以上のような問題点に着目し、洋式トイレの床、壁の双方を一括して汚れから守り、清掃の負担を軽減する技術を提供することを目的とする。
【０００６】
【課題を解決するための手段】
上記の問題を解決するために、本発明では図２に示すような、略扇形の折り畳み式の防汚カーテン１を採用している。そして、この防汚カーテン１の両翼部Ｗ（斜線で示す部分）を図１の横断面図に示すように、洋式トイレの便器２の上端部内側面２ａと、この便器２に配設された輪状若しくはＵ状の便座３の下部内側面３ａとに接着する。すると、上記防汚カーテン１は、上記便座３を起こすと図３に示すように開き、これにより、男子小用の際に床、壁の双方を一括して汚れから守ることができる。
【０００７】
【発明の実施の形態】
以下、本発明の実施の形態について、図面を参照しながら詳しく説明する。
【０００８】
図２に本発明の防汚カーテン１を示す。まず、この防汚カーテン１の材質であるが、例えば、ある程度の耐水性及び撥水性を持つ薄手の紙や布等を使用する。本発明の防汚カーテンは基本的に使い捨てで用いられることを前提としているが、一日から数日の継続使用が可能になるように、耐水性の素材を使用する。また、小便等が防汚カーテンにあたった際、そのまま、便器に流し込めるようにする為、撥水性の素材を使用する。具体的には表面に撥水加工を施した紙などが考えられるが、必ずしもこれに限定されない。
【０００９】
上記防汚カーテン１の形状は、一般に図２に示すような略扇形が考えられる。これは図３に示すように、便座３の起伏に伴って扇状に開閉させるためであるが、端部の形状はそれぞれの便器に密着するように自在に切断・加工する。そして、扇状に折りたためるよう、図２に点線で示すように、山折と谷折を連ねる。
【００１０】
図１の横断面図に示すように、この防汚カーテンの１の両翼部Ｗ（斜線で示す部分）を粘着性の強いビニールテープ等により、便器２の上端部内側面２ａ（斜線で示す部分）と、便座３の下部内側面３ａ（斜線で示す部分）に接着する。図３に示すように、便器２の左右両側に防汚カーテン１を接着する。本発明では、防汚カーテン１を取り替える際、取り外した防汚カーテン１をそのまま捨てることが出来るように、金属製のクリップ等ではなく、ビニールテープ等を使用する。
【００１１】
使用に際しては、この接着による取り付けのみである。これにより、小便等が飛散した際にも、カーテンが床へ飛び散ることを防ぐことが出来、尚且つ図４に矢印Ａで示すように、この飛散した小便を便器２の内部へ流し込むことが可能となる。又、薄手の紙や布等を使用している為、大便の場合にも、便座に座ったときに便座が浮くことによる違和感は無い。
【００１２】
防汚カーテンが古くなり、取り替える際には上記ビニールテープをはがすことにより、取り替える。カーテン及びビニールテープとも可燃物の為、捨てる際には分別する必要は無い。
【００１３】
以上の方法により、男子小用の際に床、壁の双方を一括して汚れから守ることが出来る。尚、本発明は、酔客等が多用する居酒屋などのトイレや、揺れ動く車両のトイレなどに特に有効であることを最後に付言しておく。
【図面の簡単な説明】
【図１】本発明の実施の形態における洋式トイレの横断面図
【図２】本発明実施の形態における洋式トイレの防汚カーテン
【図３】本発明の実施の形態における洋式トイレの斜視図
【図４】本発明の防汚カーテンによる効果の説明図
【符号の説明】
１  防汚カーテン
Ｗ  防汚カーテンの両翼部
２  便器
２ａ    便器の上端部内側面
３  便座
３ａ  便座３の下部内側面
４  蓋
【図１】
2004209139.tif 000003
【図２】
2004209139.tif 000004
【図３】
2004209139.tif 000005
【図４】
2004209139.tif 000006
(57)【要約】      （修正有）【課題】化粧ミラー入り額を提供する。【解決手段】裏板にミラー１を接着したのち、ミラーの中心部に書画２を貼着して書画観賞額としてばかりでなく鏡としても利用できるようにし、さらに書画の外周ミラーに装飾模様４を設けて書画を一層引き立てさせたことを特徴とする。【効果】化粧ミラー入り額を空港、駅、ホテルなどのロビーの壁へ掲げておけば、書画を観賞できるばかりでなく、化粧することもでき、非常に利便且混雑の緩和に寄与するところ大である。【選択図】図１
2004209163.tif 000002
【特許請求の範囲】
【請求項１】
裏板にミラーを接着したのち、ミラーの中心部に書画を貼着して書画観賞額としてばかりでなく鏡としても利用できるようにし、さらに書画の外周ミラーに装飾模様を設けて書画を一層引き立てさせたことを特徴とする化粧ミラー入り額。
【発明の詳細な説明】
【０００１】
【発明の属する技術分野】
本発明は、化粧ミラー入り額に関し、詳しくは額縁の中心部に飾る書、絵画と裏板との間にミラーを介在した額であって、この化粧ミラー入り額を混雑する空港、駅、ホテルなどの公共施設のロビーの壁へ掲げたり、一般家庭の洋間、和室の飾り棚の上へ載置して、ただ書画として観賞するだけではなく、化粧ミラーとしても使用できるようにしたことを特徴とする化粧ミラー入り額に関するものである。
【０００２】
【従来の技術】
従来額は、一般にベニヤの裏板または布地を貼着した裏板と、硝子或はアクリル硝子との間へ表装した書又は絵画、陶板、手芸などの芸術、美術作品を介在して額縁へ取付して構成されている。
【０００３】
つまり、額は古今東西を問わず書画を観賞するがための高尚優雅な貴重な芸術美術作品として今日に至って来ている。
【０００４】
【発明が解決しようとする課題】
額は官公庁など公共施設や、病医院の待合室、企業のロビーなどに装飾として掲げられている。しかし、これらの場所に於いて、鏡まで掲げられているところは極めて少ない現状である。したがって、本能的に一寸鏡を見たいと思っても身近に鏡がないため、態々化粧室まで行って化粧しなければならない非常に不便を感ずることは日常誰でも良く経験するところである。
【０００５】
そこで本発明は化粧ミラー入り額を提供することを目的とする。
つまり、本発明の化粧ミラー入り額を空港のロビーの壁面や、駅構内の壁面、ホテルのロビーの壁面など公共施設の混雑する場所に掲げてこれらの額の鏡を眺めながら容易に化粧できるようにしたものである。
したがって、上記の場所に居るとき、化粧のために態々化粧室を探しながら出掛ける苦労が省け、然も公共施設の混雑が緩和できることを目的とし特徴とするものである。
【０００６】
【課題を解決するための手段】
本発明は上記課題を解決するためになされたものであって、その要旨とするところは、裏板にミラーを接着したのち、ミラーの中心部に書画を貼着して書画観賞額としてばかりでなく鏡としても利用できるようにし、さらに書画の外周ミラーに装飾模様を設けて書画を一層引き立てさせたことを特徴とする化粧ミラー入り額に関するものである。
【０００７】
本発明の化粧ミラー入り額の実施の一例を別紙図面を参照しながら詳細に説明する。
【０００８】
【発明の実施の形態】
図３、図４に於いて、１はミラーでこのミラー１の中心部へ表装した書または絵画、陶板、手芸等の芸術、美術作品２（以下書画と謂う）を両面接着止具３にて貼着する。４は書画２を貼着した残りの露出部分のミラー１へ設けた装飾模様部である。例えば書の場合にはミラー１に竹模様、笹模様などの装飾を施して書と装飾模様部のバランスがとれて、芸術性、美術性を更に高めるように形成すると良い。
【０００９】
８はベニヤ、ボードなどの素材で成る裏板であって、該裏板８へ上記書画２付ミラー１を合致させるか或は接着剤にて密着させて一体に形成させる。
【００１０】
図４に於いて、５は額縁で、この額縁５の裏側より正面側の四周縁部６の内側へ透明硝子またはアクリル製透明硝子７を当接させる。
次いで、裏板８と一体の中心部に書画２を接着して成るミラー１を図３、図４の矢印のように上記透明硝子７へ合致させる。そののち、額縁５の背面側の上下縁部より裏板８へ接着テープまたは止具１０にて係止して額縁５へミラー付書画２を収納する。なお、図中１１は上記書画付ミラーを接着した裏板を補強するための補強板である。
【００１１】
【発明の効果】
本発明の化粧ミラー入り額を非常に混雑する空港、駅、ホテルなどのロビーの壁へ掲げておけば、客が高尚優雅にして貴重な書画を観賞して堪能できるばかりでなく、一寸化粧直ししたい場合に、その場所に居ながら本発明の額のミラーを眺めて化粧ができる。
したがって、上記ロビーに居るとき、態々化粧室を探しながら行く無駄が省け、且ロビーでの出入りによる混雑緩和に寄与するところ大である。
また、化粧室の混雑が緩和され、化粧室の減少が計られる。
つまり、トイレは生理現象を満たし、化粧室はファッションを堪能させるという２分化の福音をもたらすものである。
【００１２】
また、ミラーの中心部に書画を貼着したから、書画の外周ミラー部が部屋の電気の光線ネオンなどを受けて絶えずバラエティに富んだ色彩を発光して書画を一層引き立てさせる。
【００１３】
書画の外周ミラーに更に書画とマッチした装飾模様部を着装したから、書画と装飾模様部とのコンビネーションによって一層有意義な額となり、商品価値を著しく高めた。
【図面の簡単な説明】
【図１】本発明化粧ミラー入り額の斜視図である。
【図２】（ａ）本発明の参考正面図である。
（ｂ）本発明の参考背面図である。
【図３】図２（ａ）Ｚ−Ｚ線拡大縦断面図である。
【図４】裏板に接着したミラーを額縁に嵌合した状態を示す説明図である。
【符号の説明】
１  ミラー
２  書画
３  両面接着止具
４  装飾模様部
５  額縁
６  正面側四周縁部
７  透明硝子
８  裏板
９  背面側四周縁部
１０  接着テープ
１１  補強板
【図１】
2004209163.tif 000003
【図２】
2004209163.tif 000004
【図３】
2004209163.tif 000005
【図４】
2004209163.tif 000006
(57)【要約】【課題】中実構造では重くすること（せいぜい１０ｇから５０ｇ）が困難であるが中空構造の内面に重量アップ材を固めることにより、従来品より低重心で重い〔従来品〜ＭＡＸ３００ｇ〕パターを構成することができる。従って、インパクトでボールとの反発力がヘッドに吸収され、手にひびかず又、ゆっくり振ることが出来、理想的な振子打法でボールを転がすことが出来るパターを提供する。【解決手段】中空構造の内面に重量アップ材を固めることにより従来品より低重心で重いパターを構成するゴルフパターである。【選択図】    なし【特許請求の範囲】
【請求項１】
パターヘッドの中空内面に重量アップ材（比重の高い樹脂、金属）を接着剤で固めた中空構造のゴルフパター
【発明の詳細な説明】
【０００１】
【発明の属する技術分野】
本発明は中空構造のパターヘッドに関するゴルフパター
【０００２】
【従来の技術】
従来、ゴルフパターのパターヘッドはキャッシュインタイプ、ピンタイプ、ハーフマレットタイプ、マレットタイプ等のものであり、またパターヘッドは鉄、ブロンズ、アルミニューム等のヘッド素材を切削、鋳造等で作られ、中実構造でできている。  しかし、手ぶれ，引掛けを防止する為、重くしたい場合は比重の高い鉛等を貼り付けたり、中実構造そのものの外形を大きくしたりしている。
【０００３】
【発明が解決しようとする課題】
重くする為、比重の高い鉛等を貼り付けたり、中実構造の外形を大きくすると外形が見苦しくなり、コストアップになる。また、せいぜい１０ｇから５０ｇ程度しか重くすることができない。
【０００４】
【課題を解決するための手段】
本発明の請求項１に記載の発明はフェース、クラウンおよびネックが中空の一体構造であり、中空の中の底に重量アップ材（比重の高いペレット状の樹脂またはペレット状の鉛）を入れて、接着剤で固めると従来品より重くすることが出来る。
【０００５】
【発明の実施の形態】
以下、本発明のゴルフパターを詳細に説明する。
図１および図２は本発明の実施の形態におけるゴルフパターの断面図を示している。
図１および図２において１はフェース１ａ、ソール１ｂ、クラウン１ｃおよびネック１ｄは中空の一体又は組合せ構造である。
２は重量アップ材（比重の高い樹脂、金属）をａ接着剤３で固められている。  ４はシャフトでヘッド１のネック１ｄに挿入し、ｂ接着５で固められている。６は連結具で結合面を覆っている。７はグリップでシャフト４の他端に圧入され、ゴルフパターを構成している。
【０００６】
【発明の効果】
請求項１の効果
中空部に比重の高い樹脂、鉛等を接着剤で固めることによりヘッド重量を現行より重く（約１０ｇから３００ｇアップ）することができる。  ヘッドが重い目であるとインパクトでボールとの反発力がヘッドに吸収されて手にひびかず、また、ゆっくり振ることができ、理想的な振子打法でボールを転がすことができる。
【０００７】
【図面の簡単な説明】
【図１】長手方向の断面図
【図２】短手方向の断面図
【符号の説明】
１    ヘッド                          ７  グリップ
２    重量アップ材                  １ａ  フェース
３    ａ接着剤                      １ｂ  ソール
４    シャフト                      １ｃ  クラウン
５    ｂ接着剤                      １ｄ  ネック
６    連結具
【図１】
2004209199.tif 000002
【図２】
2004209199.tif 000003
(57)【要約】      （修正有）【課題】クラブヘッド部に傾斜角度（ロフト）のないクラブフェイスと傾斜角度（ロフト）のあるクラブフェイスの二つ（二面）のクラブフェイスを有し、１種類（一本）のクラブで直線的（ライナー性）な打球と曲線的（フライ性）を簡単に打ち分けることが可能にした、直線的打球（ライナー性）打ち・曲線的打球（フライ性）打ち兼用のパークゴル用クラブに関するものである。【解決手段】クラブヘッド部（２）の片側に、傾斜角度（ロフト）のないクラブフェイス（２−１）を、もう一方の片側に傾斜角度（ロフト）のあるクラブフェイス（２  ２）を設ける。クラブシャフト部（１）は、クラブヘッド部（２）に垂直に取り付ける。【選択図】  図１
2004209196.tif 000002
【特許請求の範囲】
【請求項１】
クラブヘッド部に、片側に傾斜角度（ロフト）のないクラブフェイスを、もう一方の側に傾斜角度（ロフト）のあるクラブフェイスを設ける。
尚、クラブシャフト部は、クラブヘッド部に垂直に取り付ける。
【発明の詳細な説明】
【０００１】
【発明に属する技術分野】
この考案は、クラブヘッド部に傾斜角度（ロフト）のないクラブフェイスと傾斜角度（ロフト）のあるクラブフェイスの二つ（二面）のクラブフェイスを有し、クラブシャフト部をクラブヘッド部に垂直に取り付けた、直線的打球（ライナー性）打ち・曲線的打球（フライ性）打ち兼用のパークゴル用クラブに関するものである。
【０００２】
【従来の技術】
従来のパークゴルフ用クラブは、傾斜角度（ロフト）のないクラブフェイスのみであり、直線的（ライナー性）な打球は打ち易いものの、曲線的（フライ性）な打球は打ち難い欠点がある。
【０００３】
【発明が解決しようとする課題】
１種類（一本）のクラブで、直線的（ライナー性）な打球及び曲線的（フライ性）な打球が容易に打てないか。
【０００４】
【課題を解決するための手段】
クラブヘッド部の片側に直線的（ライナー性）な打球用の傾斜角度（ロフト）のないクラブフェイスを、もう一方に曲線的（フライ性）な打球用の傾斜角度（ロフト）のあるクラブフェイスを設ける。尚、クラブシャフト部は、クラブヘッド部に垂直に取り付ける。
【０００５】
【発明の実施の形態】
本発明は、以上のような構造であり、傾斜角度（ロフト）のないクラブフェイス面で、直線的（ライナー性）な打球を打ち、傾斜角度（ロフト）のあるクラブフェイスの面で、曲線的（フライ性）な打球を打つものである。
【０００６】
【発明の効果】
したがって、従来の傾斜角度（ロフト）のないクラブフェイスのみのクラブでは、難しいものであった曲線的（フライ性）な打球を打ち易くするとともに、１種類（一本）のクラブで、使用するクラブフェイス面を変えて打つことで、直線的（ライナー性）な打球と曲線的（フライ性）を簡単に打ち分けることが可能となり、パークゴルフそのものの楽しみの範囲及び競技のおもしろさ等が著しく増大する。
【０００７】
【図面の簡単な説明】
【図１】本発明の正面図
【図２】本発明の側面図（傾斜角度のないクラブフェイス側より）
【図３】本発明の真上からの図
【符号の説明】
１は、    シャフト部
１−１は、グリップ
１−２は、シャフト
２は、    ヘッド部
２−１は、傾斜角度（ロフト）のないクラブフェイス
２−２は、傾斜角度（ロフト）のあるクラブフェイス
２−２は、ソール
【図１】
2004209196.tif 000003
【図２】
2004209196.tif 000004
【図３】
2004209196.tif 000005
(57)【要約】【課題】従来の鍋の蓋置きには、ガスレンジの上に置いて使用できるものがなかった。【解決手段】鍋の蓋置きに磁石を付け、付けた磁石を土台にして容易にガスレンジ等に置いて使用できるようにした鍋の蓋置きである。【選択図】  図５
2004209195.tif 000002
【特許請求の範囲】
【請求項１】
鍋の蓋置きの土台が磁石となっていることを特徴とする鍋の蓋置き。
【発明の詳細な説明】
【０００１】
【発明の属する技術分野】
本発明は、ガスレンジの上にも置いて使用できる鍋の蓋置きに関する。
【０００２】
【従来の技術】
従来の鍋の蓋置きは、台所回りの空いているところに、吊るしたり、置いたりして使用していた。
【０００３】
【発明が解決しようとする課題】
しかしながら、上記従来の鍋の蓋置きには、ガスレンジの上に置いて使用できるものはなく、そのため、ガスレンジで煮炊きをしている鍋の傍らに置いて、その鍋の蓋を手早く置くということができなかった。
【０００４】
【課題を解決するための手段】
本発明は、上記欠点をなくすためになされたもので、磁石を鍋の蓋置きの土台にして容易にガスレンジ、流し台等に付け外しができるようにしたものである。
【０００５】
【発明の実施の形態】
以下、本発明の実施の形態を図１〜図６に基づいて説明する。
【０００６】
図１と図２に示すように、鍋の蓋の取っ手の部分を引っ掛けることのできるくぼみ１を設けた金属の棒２の両端３，４または片方の端５にキャップ６磁石７を付ける。そして、両端３，４にキャップ６磁石７を付けた場合はコの字状に、片方の端５にキャップ６磁石７を付けた場合はＬ字状に曲げ、付けたキャップ６磁石７を土台にして上記金属の棒２を立て、設けたくぼみ１に鍋の蓋の取っ手の部分を引っ掛け鍋の蓋を置けるようにしたものである。
【０００７】
上記金属の棒２の両端３，４および片方の端５とキャップ６磁石７は、容易に離れないように両端３，４および片方の端５とキャップ６とが強固に溶接してある。
【０００８】
上記金属の棒２の曲げ方は、コの字状、Ｌ字状に限定するものではなく半円状、半楕円状、山形状であっても良い。要するに、上記金属の棒２の両端３，４または片方の端５にキャップ６磁石７を付け、付けたキャップ６磁石７を土台にして上記金属の棒２が立ち、尚かつ、設けたくぼみ１に鍋の蓋の取っ手の部分を引っ掛け、鍋の蓋を置いて倒れなければどんな曲げ方をしてもよいものとする。
【０００９】
例えば、図３と図４に示すようにコの字状またはＬ字状に曲げ、更に、への字状に曲げると鍋の蓋を上向きに置くことができ鍋の蓋の内側に付着している水滴等を落としにくくする効果がある。
【００１０】
また図５のように、コの字状に曲げた普通の金属の棒８を組み合わせると鍋の蓋を置く際に、コの字状に曲げた普通の金属の棒８がストッパーとなり鍋の蓋を落とすことなく取っ手の部分を引っ掛けることができる。
【００１１】
図６は、図５の鍋の蓋置きを使用した場合の斜視図である。
【００１２】
【発明の効果】
本発明は、以上のような構造となっている鍋の蓋置きなのでガスレンジの上に置いて使用できる。したがって、ガスレンジで煮炊きをしている鍋の傍らに置いて使用すれば、手早くその鍋の蓋を置くことができ台所仕事の効率が上がる。
【００１３】
また、磁石で容易に流し台等にも付け外しができるので場所に捉われることなく使用できる。
【図面の簡単な説明】
【図１】〜
【図５】本発明の実施の形態を示す斜視図である。
【図６】本発明を使用した状態の斜視図である。
【符号の説明】
１  くぼみ
２  金属の棒
３，４  両端
５  片方の端
６  キャップ
７  磁石
８  普通の金属の棒
【図１】
2004209195.tif 000003
【図２】
2004209195.tif 000004
【図３】
2004209195.tif 000005
【図４】
2004209195.tif 000006
【図５】
2004209195.tif 000007
【図６】
2004209195.tif 000008
(57)【要約】【課題】この発明は、積み木をレンガ状に積み上げる楽しさと、積み上げた積み木の上に玉を転がして楽しむものである。また、一種類の積み木で構成させることで製造コストを下げることが出来るものである。【解決手段】台形の立方体の上部と下部に半円形の溝がある積み木を、レンガ積みパターンの長手積で、横方向の間隔を広げた形で積み上げることにより、積み木の上段下部の半円形の溝と下段上部の半円形の溝が重なり構成して出来る円形の溝に玉を転がせ、上段の積み木から下段の積み木へ階段状に玉を転がり落とす特徴を持つ積み木。【選択図】  図１
2004209193.tif 000002
【特許請求の範囲】
【請求項１】
台形の立方体の上部と下部に半円形の溝がある積み木を、レンガ積みパターンの長手積で、横方向の間隔を広げた形で積み上げることにより、積み木の上段下部の半円形の溝と下段上部の半円形の溝が重なり構成して出来る円形の溝に玉を転がせ、上段の積み木から下段の積み木へ階段状に玉を転がり落とす特徴を持つ積み木。
【請求項２】
前記積み木を円筒形の形に積み上げることにより、玉がらせん状に落ちてくる順路を構成できることを特徴として持つ積み木。
【発明の詳細な説明】
【０００１】
【発明の属する技術分野】
この発明は、玩具用の積み木に関するものである。
【０００２】
【従来の技術】
従来、ただレンガ状に積み上げるだけの積み木があった。また、数種類の積木を、目的に応じて、いろいろな組み合わせで構成する玉転がし用の積み木があった。
【０００３】
【発明が解決しようとする課題】
この発明は、積み木をレンガ状に積み上げる楽しさと、積み上げた積み木の上に玉を転がして楽しむものである。
【０００４】
この発明は、一種類の積み木で構成させることで製造コストを下げることが出来るものである。
【０００５】
【課題を解決するための手段】
台形の立方体の上部と下部に半円形の溝がある積み木を、レンガ積みパターンの長手積で、横方向の間隔を広げた形で積み上げることにより、積み木の上段下部の半円形の溝と下段上部の半円形の溝が重なり構成して出来る円形の溝に玉を転がせ、上段の積み木から下段の積み木へ階段状に玉を転がり落とす特徴を持つ積み木。
【０００６】
【発明の実施の形態】
以下図面を参照して本発明を説明する。
図１のような台形の立方体の上部と下部に半円形の溝がある積み木１を、レンガ積みパターンの長手積で、横方向の間隔を広げた形で積み上げることにより、積み木の上段下部の半円形の溝と下段上部の半円形の溝が重なり構成して出来る円形の溝に玉を転がせ、上段の積み木から下段の積み木へ階段状に玉を転がり落とすことが出来る。
【０００７】
前記の積み木を図２の様な円筒形に積み上げることにより、積み木の上で、玉をらせん状に転がり落とすことが出来る。
【０００８】
【実施例】
以下図面を参照して本発明を説明する。
図１の積み木１を図２の様に円筒形に積み上げる。図２の玉２を玉入り口３ａから転がり落とすと、玉２は玉２の順路４のようにらせん状に転がり落ちて、玉出口５ａに出てくる。
【０００９】
【発明の効果】
この発明は、積み木を積み上げる楽しさと、完成した積み木の上に玉を転がして楽しむことが出来る。
【００１０】
また、簡単な構造であり、少ない部品種類で製作することが出来る。
【００１１】
また、玉の転がり落ちる順路があみだくじの法則であることから、立体的なあみだくじを楽しむことが出来る。
【００１２】
また、玉が転がり落ちるときに発生する音が軽快であり、音色を楽しむことが出来る。
【００１３】
【図面の簡単な説明】
【図１】積み木を示した斜視図である。
【図２】積み木の積み上げ状況を示した写真である。
【符号の説明】
１  積み木
２  玉
３ａ  玉入り口
４  玉２の順路
５ａ  玉出口
【図１】
2004209193.tif 000003
【図２】
2004209193.tif 000004
(57)【要約】【課題】トイレ内の悪臭を、鼻中へ吸い込まないようにする。【解決手段】便座の裏側に風穴を開け、その便座にパイプをつなぎ、モーターとプロペラを利用して、その中に悪臭を吸い込ませて外部へ排出する。【選択図】    図１
2004209192.tif 000002
【特許請求の範囲】
【請求項１】
便座の裏側に風穴を開け、その穴から排便の際の悪臭を吸い取り、便器内から直接外部へ排出するようにした便座。
【発明の詳細な説明】
【０００１】
【発明の属する技術分野】
本発明は、便座の裏側に風穴を開け、パイプをつなぎ、その中へ悪臭を吸い込み外部へ排出するようにしたものである。
【０００２】
【従来の技術】
従来、換気扇は、天井に取り付けてあって、悪臭が上方に引っ張られるので、悪臭が鼻に入っていた。
【０００３】
【発明の実施の形態】
本発明は、従来の天井の換気扇は使用せずに、風穴を開けた便座にパイプをつなぎ、モーターとプロペラで直接悪臭を、外部へ排出するようにしたものである。
【０００４】
【発明の効果】
このようにすれば、悪臭はトイレ室に充満すること無く、便器の中からもれないため、居心地が良くなり読書などに集中できます。
【図面の簡単な説明】
【図１】便器の斜視図である。
【符号の説明】
１    モーター
２    プロペラ
３    パイプ
４    吸い込み口
５    スイッチ
【図１】
2004209192.tif 000003
(57)【要約】［課題］聴診器の働きをより良くするため、又脈拍数も表示させるため、電子回路を使用した装置を提供する。［解決手段］電子回路は、振動音受信センサ、脈拍検出回路、脈拍数表示回路からなり、イヤホーンで振動音の確認をし、表示きで脈拍数の表示をすることを特徴とする。【選択図】図１
2004209187.tif 000002
【特許請求の範囲】
【請求項１】
聴診器の働きが、電子回路を使用することにより、より確実となり又同時に脈拍数も表示する装置。
【発明の詳細な説明】
【０００１】
［発明の属する技術分野］
この発明は、振動音を電気信号に変換しその信号を増幅する、そのために振動音は、より明確に確認でき、脈拍数の表示もできる装置に関するものである。
【０００２】
［従来の技術］
従来の聴診器は、電子回路を使用した増幅等を行っていないため、振動音が小さいときは、確認が明確にできないし、又同時に脈拍数の表示ができない。
【０００３】
［発明が解決しとうとする課題］
これは次のような欠点があった。
（１）  振動音が小さいときは、確認がよくできない。
（２）  同時に脈拍数が表示できない。
本発明は、以上の欠点をなくすためなされたものである。
【０００４】
［課題を解決するための手段］
本発明は、振動音を電気信号に変換し、増幅する回路と脈拍を確認し、脈拍数を表示する装置である。
【０００５】
［発明の実施の形態］
以下、本発明の実施の形態について説明する。
本発明は、振動音をキャッチして電気信号に変換するセンサ部とその信号を、増幅する回路と増幅された信号を音声に変換し耳で聞くことのできる回路と、同時に脈拍が確認されると脈拍数を表示する回路からなり、これを使用するときは、センサ部を検査する部分に当てるとイヤホーンから振動音を確認でき、又同時に脈拍を確認すると脈拍数を瞬時に表示する。
【０００６】
［発明の効果］
本発明は、以上に説明したように構成されているので以下に記載されるような効果を生ずる。
この装置を使用することにより、小さな振動音でも正確に確認ができ、又同時に脈拍数を瞬時に表示できる。
【図面の簡単な説明】
【図１】本発明のブロック  ダイアグラムである。
【符号の説明】
１    受信センサ
２    増幅回路
３    イヤホーン
４    脈拍検出回路
５    脈拍数表示回路
６    表示器
７    電源スイッチ
８    ＤＣ電源（ＤＣ５Ｖ）
【図１】
2004209187.tif 000003